Podtech/llm-jp-corpus-v4-ja_patent huggingface dataset:
(57)【要約】      （修正有）【課題】薄型で簡単に壁に取り付けられるテレビを提供する。【解決手段】壁掛テレビは、テレビ画面１の左右に、発熱部品であるテレビ用の基板が入るスペース２、３を設け、テレビを薄型にし、その四隅にテレビを壁に取り付ける為のねじ穴４、５、６、７を設け、直接、ネジ等で壁に取り付ける。【選択図】図１
2018029316.tif 000002
【特許請求の範囲】
【請求項１】
（図１）テレビ画面（１）の左右にテレビ用の主要基板（発熱部品）が入るスペース（２）（３）を設け、その四隅にテレビを壁に取り付ける為のねじ穴（４）（５）（６）（７）を設け、テレビを薄型にし、直接ネジ等で壁に取り付ける。
以上のように構成された、壁掛けテレビ。
【発明の詳細な説明】
【産業上の利用分野】
【０００１】本発明は、壁掛けテレビに関する。
【背景技術】
【０００２】  従来の壁掛けテレビは、薄型テレビと言っても分厚く（テレビ画面の背面にテレビの主要基板を重ねていた）、壁掛け器具を用いて壁に取り付けていた。発熱部品が壁側にあるので隙間を開けなければならない。
【発明が解決しようとする課題】
【０００３】  テレビを薄くする、また、テレビを壁に直接取り付けるための、主要基板（発熱部品）の位置。
【問題を解決するための手段】
【０００４】（図１）テレビ画面（１）の左右にテレビ用の基板が入るスペース（２）（３）を設け、その四隅にテレビを壁に取り付ける為のねじ穴（４）（５）（６）（７）を設け、テレビを薄型にし、直接ネジ等で壁に取り付ける。
【作用】
【０００５】テレビ画面の周囲にテレビの基板等を設けテレビを薄くする。
四隅に設けた取り付けネジ穴で壁に取り付ける。
【実施例】
【０００６】以下、本発明の実施例について説明する。
（図１）テレビ画面（１）の左右にテレビ用の基板（発熱部品）が入るスペース（２）（３）を設け、その四隅にテレビを壁に取り付ける為のねじ穴（４）（５）（６）（７）を設け、テレビを薄型にし、直接ネジ等で壁に取り付ける。
テレビ画面の左右に発熱部品を配置して熱を正面に逃がす。
【発明の効果】
【０００７】  本発明は、以上のような構成でこれを利用した壁掛けテレビは、簡単に壁に取り付けられ、薄型である。
【図面の簡単な説明】
【図１】壁掛けテレビの正面斜視図
【符号の説明】（１）テレビ画面
（２）左側のテレビ用の基板が入るスペース
（３）右側のテレビ用の基板が入るスペース
（４）壁に取り付ける為のねじ穴
（５）壁に取り付ける為のねじ穴
（６）壁に取り付ける為のねじ穴
（７）壁に取り付ける為のねじ穴
【図１】
2018029316.tif 000003
(57)【要約】【課題】表示シートの表面に様々な絵を繰り返し描くことができ、表示シートの振動や傾斜により絵を変化させると共に、その絵を固定化することも可能な絵描き玩具を提供すること。【解決手段】非磁性の表示シート１と、表示シート１の裏面に着脱可能に重合されるパネル２と、磁気吸着性素材より成る可撓性紐体３及び／又は粒体４とを備え、パネル２の表面が磁性を有し、可撓性紐体３及び／又は粒体４は、表示シート１の表面上を移動可能であり、表示シート１の裏面に重合されたパネル２に吸着されて固定される。【選択図】図１
2018029770.tif 000002
【特許請求の範囲】
【請求項１】
非磁性の表示シートと、該表示シートの裏面に着脱可能に重合されるパネルと、磁気吸着性素材より成る可撓性紐体及び／又は粒体とを備え、前記パネルの表面が磁性を有し、前記可撓性紐体及び／又は粒体は、前記表示シートの表面上を移動可能であり、前記表示シートの裏面に重合されたパネルに吸着されて固定されることを特徴とする絵描き玩具。
【請求項２】
前記表示シートの表面に絵柄が表示され、該絵柄の一部として前記可撓性紐体が組み込まれ、該可撓性紐体の一部が前記表示シートに固定されたことを特徴とする請求項１に記載の絵描き玩具。
【請求項３】
前記表示シートがノートのページの一部であることを特徴とする請求項１又は２に記載の絵描き玩具。
【請求項４】
前記可撓性紐体が鎖より成ることを特徴とする請求項１〜３のいずれかに記載の絵描き玩具。
【発明の詳細な説明】
【技術分野】
【０００１】
本発明は、磁気を利用して消去可能な絵を描く絵描き玩具に関する。
【背景技術】
【０００２】
絵具やクレヨンで絵を描くと、通常は消去することができず、同じ画面に繰り返し異なる絵を描くことはできなかった。
一方、磁気を利用して画面に絵を描く絵書き玩具が知られている（特許文献１参照）。この絵書き玩具は、表面を磁性面とするパネル板と、磁気吸着性金属材料で製された多数のくさりとから成り、くさりは、パネル板の表面に対する吸着により安定化されるようになっている。
従って、くさりをパネル板の表面に載せて絵を描き、その後、くさりをパネル板から取り除いて絵を消去することにより、パネル板の表面に様々な絵を繰り返し描くことができる。
【先行技術文献】
【特許文献】
【０００３】
【特許文献１】実開昭６３-９８５７１号公報
【発明の概要】
【発明が解決しようとする課題】
【０００４】
しかし、上記従来の絵書き玩具は、パネル板の表面にくさりを意図した形状に載せて絵を描くものであり、振動等により偶然できる絵柄の変化を楽しみ、その絵柄を安定化させることはできなかった。
本発明が解決しようとする課題は、上述の問題を解決し、表示シートの表面に様々な絵を繰り返し描くことができ、表示シートの振動や傾斜により絵を変化させると共に、その絵を固定化することも可能な絵描き玩具を提供することにある。
【課題を解決するための手段】
【０００５】
本発明の絵描き玩具は、非磁性の表示シートと、該表示シートの裏面に着脱可能に重合されるパネルと、磁気吸着性素材より成る可撓性紐体及び／又は粒体とを備え、前記パネルの表面が磁性を有し、前記可撓性紐体及び／又は粒体は、前記表示シートの表面上を移動可能であり、前記表示シートの裏面に重合されたパネルに吸着されて固定される。
前記表示シートの表面に絵柄が表示され、該絵柄の一部として前記可撓性紐体が組み込まれ、該可撓性紐体の一部が前記表示シートに固定されることがある。
前記表示シートはノートのページの一部であってもよい。
前記可撓性紐体は鎖とすることもできる。
【発明の効果】
【０００６】
本発明によれば、表示シートの表面に可撓性紐体や粒体を載せ、表示シートの裏面にパネルを重ねない状態で、可撓性紐体や粒体を任意の形状および位置に移動させて絵を描くか、或いは、表示シートを振動させたり傾斜させて、可撓性紐体や粒体が偶然描く絵を楽しむことができ、しかも、表示シートの裏面にパネルを重ねて、可撓性紐体や粒体が描いた絵を吸着固定化することが可能である。
【図面の簡単な説明】
【０００７】
【図１】本発明の実施例を示す絵描き玩具の斜視図である。
【図２】本発明の実施例を示す絵描き玩具の使用状態における平面図である。
【図３】本発明の実施例を示す絵描き玩具の絵柄を固定した状態における平面図である。
【発明を実施するための形態】
【０００８】
以下、本発明の実施例を図面に基づいて詳細に説明する。
本発明の絵描き玩具は、図１に示すように、非磁性の表示シート１と、パネル２と、可撓性紐体３及び粒体４とを備える。
表示シート１は、適宜大きさの矩形の紙であり、ノート５のページの一部を構成している。また、表示シート１の表面には、静物、人、風景等の絵柄６が表示される。絵柄６は、一部が欠損した状態で表示される。
本実施例では、絵柄６は、腹部が欠損した人体として表示されている。
【０００９】
パネル２は、表示シート１とほぼ同じ形状・寸法であり、その表面が磁性面７となっている。また、パネル２は、ノート５のページ間に挿入することにより、表示シート１の裏面に着脱可能に重合される。
【００１０】
可撓性紐体３及び粒体４は、鉄合金等の磁気吸着性素材より成る。可撓性紐体３は、本実施例では鎖より成るが、磁気吸着性素材の繊維を編んだ紐であってもよい。粒体４の寸法及び形状は、絵柄６に合わせて適宜選択できる。
可撓性紐体３は絵柄６の一部として組み込まれ、可撓性紐体３の両端が、絵柄６の欠損した部分の両端において表示シート１に固定されると共に、可撓性紐体３の中間部が表示シート１の表面上を移動できるようになっている。
即ち、可撓性紐体３の中間部が移動すると、絵柄６として表示された人体の腹部が凹んだり膨らんだり、波打ったりする。
また、粒体４は、表示シート１の表面上に撒いて自由に移動させることができる。
【００１１】
この絵描き玩具を使用するには、表示シート１の裏面にパネル２を重ねない状態で、図２に示すように、表示シート１の表面に粒体４を載せる。
そして、表示シート１を傾斜させたり、振動させると、図３に示すように、可撓性紐体３の中間部及び粒体４が移動して絵柄６が様々に変化する。
表示シート１の裏側に磁性面７を上にしてパネル２を重ねると、可撓性紐体３及び粒体４は、パネル２の磁性面７に吸着されて表示シート１の表面に固定化され、可撓性紐体３及び粒体４が描く絵はその状態で保持される。
【００１２】
本発明の絵描き玩具の構造は、上記実施例に限定されない。
例えば、表示シートは、ノートのページではなく、単独の紙片であってもよい。
また、可撓性紐体は、表示シートに表示された絵柄によって、両端部及び中央部が表示シートに固定されたり、中央部のみが固定されることもあり、複数本の可撓性紐体を使用することもできる。
さらに、可撓性紐体と粒体のいずれか一方のみで絵を描くこともでき、可撓性紐体を表示シートから分離してもよい。
表示シートにあらかじめ絵柄を表示せず、可撓性紐体及び／又は粒体のみにより絵を描くことも可能である。
【符号の説明】
【００１３】
１  表示シート
２  パネル
３  可撓性紐体
４  粒体
５  ノート
６  絵柄
７  磁性面
【図１】
2018029770.tif 000003
【図２】
2018029770.tif 000004
【図３】
2018029770.tif 000005
(57)【要約】【課題】本発明は、日々変わる天候に左右されず、雨の水濡れに強い靴で、靴の中まで濡れた時の対処として、靴の中にまで防水性持たせ、靴内のヌレにも速乾性を持たせ、ムレを抑えた履物で、長雨の時期でも毎日乾いた状態で履ける靴を提供する。【解決手段】履物においては、甲皮を撥水加工した皮革又は、防水と通気性のある人工皮革とし、裏皮をすべて防水性と通気性を持った素材を使用し、中底を樹脂製又は防水加工した物を使用する事で、靴内部全てを水の浸透しない素材で作ることで、外側も内側も濡れにくく、ムレにくい履物を提供する。【選択図】図１
2018029683.tif 000002
【特許請求の範囲】
【請求項１】
履物においては、防水性と通気性のある人工皮革又は、撥水加工した皮を甲皮とし、裏皮に防水性と通気性のある人工皮革あるいは同じ特性のある繊維を使用し、中底を樹脂製又は防水加工した中底で、製造された履物。
【発明の詳細な説明】
【技術分野】
【０００１】
本発明は、内側も濡れにくい靴の製造方法に関するものである。
【背景技術】
【０００２】
履物においては、防水シートを挟み、防水機能を持たせた履物がある（特開平09-010004）。
【０００３】
しかし、防水機能の重視で、中が濡れた時は乾きにくく、靴がムレやすいという欠点があった。
【０００４】
一般的なパンプスでは、大雨の場合、靴の中まで濡れる事が多く、長雨時には1日で乾かない欠点があった。
【先行技術文献】
【特許文献】
【０００５】
【特許文献１】特開平09-010004号公報
【発明の概要】
【発明が解決しようとする課題】
【０００６】
本発明は、上述の問題を除去するためになされたものであり、靴の外側も内側も防水し、内側が濡れても速乾し、ムレも抑えることを目的としている。
【課題を解決するための手段】
【０００７】
請求項1においては甲皮に撥水加工された皮又は、防水性と通気性のある人工皮革（1）を使用し、裏皮には防水性と通気性のある人工皮革又は、同じ機能を持つ繊維を使用し、中底に樹脂製あるいは、防水加工した中底を使用した履物である。
【発明の効果】
【０００８】
本発明は、履物の外側も内側も通気性のある防水素材で製造することにより、履物の中まで濡れても水分をふき取るだけで、履きつづける事が出来る履物。
【図面の簡単な説明】
【０００９】
【図１】図１は靴の横からの断面図である。（実施例１）
【発明を実施するための形態】
【００１０】
靴の裏皮に防水性と通気性のある素材と、防水性のある中敷きで内側を包む様にすることで、雨の侵入でもふき取るだけで、十分履ける状態にもどる履物である。
【実施例１】
【００１１】
図１は靴を横から見た断面図で、樹脂製又は防水加工した中底と、防水性と通気性のある甲皮と裏皮で、従来の方法で制作した履物である。
【産業上の利用可能性】
【００１２】
製造方法が従来と変わらず、設備投資が必要でないため早々に量産できる。
【００１３】
水が浸透しにくい為、乾きが早く毎日使用できる。
【符号の説明】
【００１４】
１    防水加工した皮又は、防水性と通気性のある人工皮革。
２    防水性と通気性のある人工皮革または、同じ特性を持った繊維。
３    樹脂製又は、防水加工した中底。
４    底材
５    防水効果を持つ中敷き。
【図１】
2018029683.tif 000003
(57)【要約】【課題】耳からの脱落を抑制または防止できるイヤリングを提供することである。【解決手段】耳を前後から挟み込むことによって、耳に固定されるイヤリングであって、一端部および他端部を有し、弾性金属線材を用いて形成された弧状の金具と、樹脂材料を用いて形成され、耳に当たる柱状の耳当て部を備える。また、金属部から延設されたリングを有し、耳当て部の側面に形成された環状溝に、リングを嵌合させることにより、耳当て部が金具に固定されているイヤリングを備える。また、耳当て部は、耳に当たる吸盤部を一体に備える。【選択図】図１Ｂ
2018029928.tif 000002
【特許請求の範囲】
【請求項１】
装飾具を含み、耳を前後から挟み込むことによって、耳に固定されるイヤリングであって、一端部および他端部を有し、弾性金属線材を用いて形成された弧状の金具と、樹脂材料を用いて形成され、耳に当たる柱状の耳当て部を含み、前記金具の前記一端部は、前記金属部から延設されたリングを有し、前記耳当て部の側面に形成された環状溝に、前記リングを嵌合させることにより、前記耳当て部が前記金具に固定されている、イヤリング。
【請求項２】
前記耳当て部は、耳に当たる吸盤部を一体に含む、請求項１に記載のイヤリング。
【請求項３】
前記他端部には、前記装飾具が取り付けられている、請求項１または２に記載のイヤリング。
【発明の詳細な説明】
【技術分野】
【０００１】この発明はイヤリングに関する。
【背景技術】
【０００２】従来から、金属製の弾性線材製の金具によって、金属の弾性を利用して耳たぶを挟み込んで固定するタイプのイヤリングがある。このタイプのイヤリングでは、長時間使用しても、耳たぶが痛くならないように、樹脂製の耳当て部を設けるものがある（下記特許文献１）。
下記特許文献１のカバー（耳当て部）は長細い筒状ではなく、その外周側が耳たぶに当たる。
【特許文献】
【０００３】
【特許文献１】実用新案登録第３１５１８１６号
【発明の概要】
【発明が解決しようとする課題】
【０００４】しかしながら、特許文献１に記載のイヤリングは、カバーと耳たぶとの接触面積が小さいために挟む力が弱く耳たぶから滑り落ちてしまうという欠点があった。この発明は、耳からの脱落を抑制または防止できるイヤリングを提供することである。
【課題を解決するための手段】
【０００５】本発明は、装飾具を含み、耳を前後から挟み込むことによって、耳に固定されるイヤリングであって、一端部および他端部を有し、弾性金属線材を用いて形成された弧状の金具と、樹脂材料を用いて形成され、耳に当たる柱状の耳当て部を含み、前記金具の前記一端部は、前記金属部から延設されたリングを有し、前記耳当て部の側面に形成された環状溝に、前記リングを嵌合させることにより、前記耳当て部が前記金具に固定されているイヤリングである。【０００６】また、前記耳当て部は、耳に当たる吸盤部を一体に含む、請求項１に記載のイヤリングである。【０００７】また、前記他端部には、前記装飾具が取り付けられている、請求項１または２に記載のイヤリングである。
【発明の効果】
【０００８】本発明は、上述のような構造により耳たぶとの接触面積が広いため耳たぶと耳当て部との保持力を大きく保つことができる。これにより、耳からの脱落を抑制または防止できるイヤリングを提供できる。【０００９】また、吸盤状のシリコン製パッキンを装着しているので、ソフトに耳たぶにフィットすることができ長時間装着しても耳たぶの痛みを緩和できる。
【図面の簡単な説明】
【００１０】
【図１Ａ】本発明の一実施形態に係るイヤリング１の側面図である。
【図１Ｂ】本発明の一実施形態に係るイヤリング１の斜視図である。
【図２】本発明の一実施形態に係るイヤリング１の分解斜視図である。
【図３】本発明の一実施形態に係るイヤリング１の金具２の背面図である。
【図４】本発明の一実施形態に係るイヤリング１の耳当て部３の後端部の斜視図である。
【発明を実施するための形態】
【００１１】この発明の一実施形態を図面に基づいて説明する。
図１Ａは本発明の一実施形態に係るイヤリング１の側面図である。図１Ｂは本発明の一実施形態に係るイヤリング１の斜視図である。図２は本発明の一実施形態に係るイヤリング１の分解斜視図である。図３は本発明の一実施形態に係るイヤリング１の金具２の背面図である。図４は本発明の一実施形態に係るイヤリング１の耳当て部３の後端部の斜視図である。
【００１２】イヤリング１は耳たぶを前後から挟み込むことによって耳たぶに固定される。イヤリング１は、装飾具５と装飾具５を支持する金具２と、金具２に固定された、樹脂製の耳当て部３とを含む。
金具２は、金属製の弾性線材を用いて形成されている。
【００１３】金具２全体はアルファベットの「Ｕ」の文字型（弧状）に形成されている。金具２は、後端部（一端部）２Ａおよび前端部（他端部）２Ｂを有する。
【００１４】後端部２Ａには、金具２の本体部（Ｕ状部）から延設されたリング４が設けられている。リング４は、金具２の本体部（Ｕ状部）に対して垂直方向に沿って延びている。リング４に耳当て部３が取り付けられている。図３に示すようにリング４は金属製弾性線材のＵ字の延長線で曲げるもしくは、円形リングを溶接することで成形される。
【００１５】前端部２Ｂには装飾部５がハンダまたはロー付けで溶接されている。
【００１６】耳当て部３は円柱状の本体部８と、本体部８の軸方向一方向に設けられた椀型吸盤部７とを含む。本体部８と吸盤部７とは一体に設けられている。吸盤部７はイヤリング１を耳たぶに装着した状態で、耳たぶに当たる。
本体部８の外周面（側面）には、環状溝６が形成されている。この環状溝６にリング４を嵌合させることにより、耳当て部３の金具２への固定が達成されている。
【００１７】本体部８の直径は、金具２のリング４の内径より大きい。そのため、耳当て部３の環状溝６にリング４が一度はまれば容易に抜け落ちない構造になっている。
【００１８】また、接触面積が広いので吸盤部７が耳たぶに吸着することで耳から脱落しにくい。
従来からある金属製弾性線材によるイヤリングは、耳たぶに接する面積が狭いが、本発明によるイヤリングは本体の一方の端が円形に成形されていることにより、耳たぶへの接触面積が広い為、圧力が分散される。そのため耳たぶに長時間装着した際の痛みを和らげる。
【００１９】また、吸盤部７が、耳たぶにソフトにフィットする効果がある。そのため耳たぶに長時間装着した際の痛みを和らげる。
【００２０】耳当て部３の本体部１０は円柱状としたが、角柱などの他の柱状であってもよい。
リング４は、円形であってもよいし、多角リングであってもよい。
【符号の説明】１．イヤリング
２．金具
３．耳当て部
４．リング
５．装飾部
６．環状溝
７．吸盤部
８．本体部
【図１Ａ】
2018029928.tif 000003
【図１Ｂ】
2018029928.tif 000004
【図２】
2018029928.tif 000005
【図３】
2018029928.tif 000006
【図４】
2018029928.tif 000007
(57)【要約】      （修正有）【課題】ソフトバレーボールに使用する空気注入式の軟質ボールを、外周を規定寸法に膨らませる作業を一人で実行可能にする。【解決手段】４枚の板材1a、1b、1cをロ字状に配置すると共に、隣接する板材1a、1b、1c同士を固定し、各板材1a、1b、1cの高さＴを公式ボールＷの半径と同寸以上とし、対向する板材1a、1b、1c間を公式ボールＷの直径と同寸としたゲージをフロアに載置して、該ゲージ内に潰れた状態の公式ボールＷを収容した後、該公式ボールＷに空気を注入し、膨らんだ公式ボールＷが全ての板材1a、1b、1cの内面に密着した時点で公式ボールＷが規定の円周寸法に膨らんだことを確認可能にすることによって、作業中にゲージは変形せず、作業者又は介助者が位置調整しなくても自動的に全ての板材1a、1b、1cの内面に密着する。【選択図】図２
2018155595.tif 000002
【特許請求の範囲】
【請求項１】
４枚の板材をロ字状に配置すると共に、隣接する板材同士を固定し、各板材の高さを公式ボールの半径と同寸以上とし、対向する板材の内面間を公式ボールの直径と同寸としたことを特徴とするソフトバレーボール用ゲージ。
【発明の詳細な説明】
【技術分野】
【０００１】
本発明は、ソフトバレーボールに使用する空気注入式の軟質ボールを、外周を規定寸法に膨らませる作業を一人で実行可能にしたゲージに関する。
【背景技術】
【０００２】
従来、公式のソフトバレーボールを、円周寸法が一般用で７８±１cm、ジュニア用で６４±１cmに膨らますためのゲージとして、同長且つ可撓性を有する一対の無端状の測定ゲージを、２つ折り状態で中央で直交する様に一体化した円周ゲージがあり、この円周ゲージ内に、潰れた状態の公式ボールを入れて、両方の測定ゲージに公式ボールの外面が密着するまで公式ボールに空気を注入することによって、公式ボールを規定の円周寸法に１人で膨らませることを可能にしている（例えば、特許文献１参照）。
【先行技術文献】
【特許文献】
【０００３】
【特許文献１】特許第３４２５４３３号公報
【発明の概要】
【発明が解決しようとする課題】
【０００４】
しかし、上記従来技術にあっては、確かに１人で膨らませることは可能であるが、公式ボールの膨張に伴い、一対の無端状測定ゲージも最終的に円環形状になる様に徐々に変形していくことから、一対の無端状測定ゲージの位置調整を行いながらの作業になってしまう可能性を否定出来ないなど、解決せねばならない課題があった。
【課題を解決するための手段】
【０００５】
本発明は、上記従来技術に基づく、一対の無端状測定ゲージの位置調整を行う可能性がある課題に鑑み、４枚の板材をロ字状に配置すると共に、隣接する板材同士を固定し、各板材の高さを公式ボールの半径と同寸以上とし、対向する板材間を公式ボールの直径と同寸としたゲージをフロアに載置して、該ゲージ内に潰れた状態の公式ボールを収容した後、該公式ボールに空気を注入するだけで、膨らんだ公式ボールが全ての板材の内面に密着すれば、公式ボールが規定の円周寸法に膨らんだことが確認出来ることによって、作業中にゲージは変形せず、作業者又は介助者が位置調整しなくても公式ボールが自動的に全ての板材の内面に密着可能にして、上記課題を解決する。
【発明の効果】
【０００６】
要するに本発明は、４枚の起立状態の板材を方形状に配置すると共に、隣接する板材同士を固定し、各板材の高さを公式ボールの半径と同寸以上とし、対向する板材間を公式ボールの直径と同寸としたので、介助者及び公式ボールに対する位置調整を不要にすることが出来るため、収容状態の潰れた状態の公式ボールに空気を送る作業だけで確実に規定の円周寸法に膨らますことが出来る等その実用的効果甚だ大である。
【図面の簡単な説明】
【０００７】
【図１】本発明に係るソフトバレーボール用ゲージ内に規定の円周寸法に膨らませたソフトバレーボールを収容した状態を示す斜視図である。
【図２】図１の中央縦断面図である。
【図３】図１のソフトバレーボール用ゲージの分解状態を示す斜視図である。
【発明を実施するための形態】
【０００８】
本発明に係るソフトバレーボール用ゲージにあっては、図１、２に示す様に、基本的に、４枚の起立状態の板材１、1a、1b、1cをロ字状に配置すると共に、隣接する板材１、1a、1b、1c同士を固定し、各板材１、1a、1b、1cの高さＴを公式ボールＷの半径と同寸以上とし、対向する板材１、1b間、板材1a、1c間の間隔寸法Ｓを公式ボールＷの直径と同寸としている。
【０００９】
板材１、1a、1b、1cは、横長矩形状に形成した、材料を金属、プラスチック、木材などの比較的硬質とした、膨張したソフトバレーボールの圧力に対し撓まない板材とし、隣接する板材１、1a、1b、1cは直角に配置され、内面２、2a、2b、2cは平滑面とするのが好ましい。
【００１０】
隣接する板材１、1a、1b、1c同士の固定構造は、一方に設けた断面コ字状の連結具３、3a、3b、3cに、他方の側端部を嵌め込む構造とし、具体的には板材1aの両側端部に連結具３、3aを、対向する板材1cの両側端部に連結具3b、3cを設け、板材１の両端部を板材1aの連結具３及び板材1cの連結具3cに、板材1b  両端部を板材1aの連結具3a及び板材1cの連結具3bに嵌め込んで、４枚の板材１、1a、1b、1cをロ字状に組み、その外周をバンド４で締め付けて、連結具３、3a、3b、3cからの板材１、1bの抜脱を防止可能にしている。
【００１１】
バンド４は、ゴムバンドであったり、帯材の表面に面ファスナーの一方を一端側裏面に他方を設けたものなど、組立て・分解状態のどちらでも締付け可能なものとしている。
締め付け可能で
【００１２】
尚、図面上、断面コ字状の連結具３、3a、3b、3cに、他方の板材１、1a、1b、1cの側端部を嵌め込む構造としているが、その他の分離可能な構造や、蝶着構造など、未使用時にコンパクト化可能な構造のものが好ましいが、完全一体化タイプであっても良い。
【００１３】
そして、使用時には、４枚の板材１、1a、1b、1cをロ字状に組み、その外周をバンド４で締め付けたソフトバレーボール用ゲージをフロアに載置して、該ゲージ内に潰れた状態の公式ボールＷを収容して空気を注入し、全ての板材１、1a、1b、1cの内面２、2a、2b、2cに膨らんだ公式ボールＷが密着すれば、規定の円周寸法に膨らんだ公式ボールＷとなる。
【００１４】
未使用時には、図３に示す様に、分解した板材１、1a、1b、1cを重ね、バンド４を巻をいて締め付けることで、板材１、1a、1b、1cを一纏めにする。
【符号の説明】
【００１５】
１、1a、1b、1c  板材
２、2a、2b、2c  内面
Ｓ              内面間の間隔寸法
Ｔ              板材の高さ
Ｗ              公式ボール
【図１】
2018155595.tif 000003
【図２】
2018155595.tif 000004
【図３】
2018155595.tif 000005
(57)【要約】      （修正有）【課題】従来の冷凍室に設置しようとする棚・ラックは、大きく、硬く、重いので搬入まで、労力が須要であった。冷気を守るためなどの理由で出入り口が狭い冷凍室もある、棚の搬入時に特に出入り口周辺で接触が発生する。組み立て式のラックについてもサイズ、重さにまだ難がある。廃棄時、一時撤去時、交換時などの保管場所にも難がある。【解決手段】組みあがった棚や組み立て式の棚ではなく、膨らませ型・膨らませ式棚であり、冷凍室で使用する棚である。浮き輪は空気を入れて膨らませるが本発明は液体を入れて膨らませる。冷凍室の中で、時間経過後、硬化する。解凍後・液体排出後・萎ませた後は置き場所の課題も解消する。【選択図】図１
2018155473.tif 000002
【特許請求の範囲】
【請求項１】
液体を中に入れ膨らませることにより形成し、棚板および柱で構成される棚であって、前記注入した液体が、冷凍室内で凝固することで、前記棚板および柱が、それぞれ棚板としての構造強度、柱としての構造強度を有することを特徴とする冷凍室内においてのみ使用することができる棚。
【発明の詳細な説明】
【技術分野】
【０００１】  本発明は、冷凍室にある棚に関する。
【背景技術】
【０００２】  従来の冷凍室にある棚は、備え付けのものや組みあがった棚や組み立て式の棚がある。【０００３】日常で使っている棚・ラック同様、利点、欠点、サイズが大きく手間の掛かる手に負えない点をそなえた品である。【０００４】  冷凍室の名の通り、日々使う、多くの物品が早い回転で動くことに耐えられる構造物である。【０００５】  強度を安定するための技術として鉄筋コンクリートがある。
【発明の概要】
【発明が解決しようとする課題】
【０００６】冷凍室で使うにしては、製造から搬入までの道のりに労力をかけすぎであった。【０００７】交換、廃棄などによる棚の処分時、また一時撤去時に労力をかけすぎであった。
【課題を解決するための手段】
【０００８】  組みあがった棚や組み立て式の棚ではなく、膨らませ型・膨らませ式棚。【０００９】  膨らませる、液体を注入して膨らませる。棚と液体、結びつき・関連しづらく手段になりがたいが、冷凍室で使用するので液体は固体になる。棚が完成する。【００１０】  浮き輪もビーチボールもキャンプのテントも課題を解決するための手段として、使用する場所に行ってから、膨らませて見事に課題を解決している。それと同様の手段である。浮き輪は空気を入れて膨らませるが、本発明は液体を入れて膨らませる。【００１１】  本発明は、液体、折り畳めるモノ、膨らます、固体。この４つを組み合すことで構成される。この４つで課題を解決する。【００１２】  棚の温度を上げれば再び液体になる。大きく、硬く、重く、折り畳めないことがないので、廃棄、放置、一時保管するときの労力が削減される。【００１３】  労力は製造時においても発生する。金属の資源を多く使うことは、指の怪我からはじまって多大なエネルギーを使う。本発明は膨らませての特徴のとおり、膨らんでない状態で製造過程がおわったことになる。労力を削減する。
【発明の効果】
【００１４】  鉱物などの資源、倉庫・保管スペース、エネルギー、手間、時間、資材などの労力の削減。【００１５】  大停電時、保冷の役割。
【図面の簡単な説明】
【００１６】
【図１】  膨らませた棚・中に液体を注入し冷凍室で固体化、凝固して硬化した棚・使用することができる、完成した棚の図である。
【図２】  膨らましていない状態の棚・まだ棚になっていない本発明・廃棄、一時撤去のため移動するときの本発明・運送時ダンボールに入れようとするときの棚・本格的にペッチャンコにして整理、収納する手前のほぼペッチャンコな棚の図である。
【発明を実施するための形態】
【００１７】  液体を注入する際、完全に一睡の余地ないまでに膨らましても、多少余地があっても実施可能である。液体が固体に変化すると体積が増えるからである。実施例は日常生活の範囲内に則して実施できうる仕組みである。
【００１８】  本発明は、図に示す棚板部１と柱２で構成される棚である。
【００１９】図の３が、高さ、幅、奥行き・サイズを一変させる突破口になる。
【００２０】図の３から液体を注入し、液体が入りうる厚みのある棚板部１と液体が入りうる太さのある柱部２が膨らむ。液体は冷凍室内で固体になる。棚としての機能を持つ。
【００２１】一変させず折り畳んであるときも実施の例である。棚、ラックが場所塞ぎ・場所をとらない、重くない、棚としての本来の機能・荷をおく機能ではないが、本発明の付随する実施の例である。
【産業上の利用可能性】
【００２２】  冷凍すると硬化する。世の中の基準が常温である。形のあるモノ・缶詰でもハサミでも建築物でもその構成のベースが常温であることが多い。冷凍室の中では、世の中の基準を変えるべきである。部屋自体の素材にしても、冷凍中でない瞬間が建築中や停電時などあるが、３６５日  ２４時間常温ではないシチュエーションが、もしあるのであれば、基準を一旦ゼロにするべきである。地球以外の星においてのみ使用するモノを作るときと同様のことである。基準を変えることで産業上の利用可能性がある。
【符号の説明】
【００２３】  １  棚板
２  棚柱
３  液体通り口
【図１】
2018155473.tif 000003
【図２】
2018155473.tif 000004
(57)【要約】【課題】従来の帽子は日傘又は雨傘の代わりになるように鍔が広く、それでいて平面的に小さく折り畳めるものはなかった。比較的鍔の広い帽子もあるが、つばが折れないよう張りをもたせなければならないため、平面的に折り畳むことができず、携帯するにはとてもかさ張った。【解決手段】本願の帽子は、当該帽子の鍔の縁の部分に環状記憶形状体又は／及び環状弾性体の素材を取り付けて、鍔をいくら大きくしても、また帽子の鍔の素材を薄くしても、折れることなく張りを保つことができるようにし、且つ元の帽子の大きさの半分以下に小さく平面的に畳むことができるようにした。【選択図】図１
2018031097.tif 000002
【特許請求の範囲】
【請求項１】
帽子の鍔の縁に環状記憶形状体又は／及び環状弾性体の素材を取り付けた帽子。    
【請求項２】
前記帽子の鍔のところどころに切れ目を作り、当該切れ目の上に、布状の防水素材を、当該布の一部を開放して、貼り付けた請求項１に記載の帽子。
【発明の詳細な説明】
【技術分野】
【０００１】
傘としても使える帽子に関する。
【背景技術】
【０００２】
従来の帽子は折りたたみ傘の代用になるものがなかった。
【先行技術文献】
【特許文献】
【０００３】
【特許文献１】特願２００５−２１６４７３
【特許文献２】特願平８−２０１１２９
【発明の概要】
【発明が解決しようとする課題】
【０００４】
従来の帽子では傘の代用になるような鍔の広い帽子はなく、またある程度鍔が広いものもあるが、鍔を広くするには鍔が折れ曲がらないように鍔全体を張りのある素材にする必要が生じ、平面的に小さく畳めるものではなかったので、携帯するにはかさ張りすぎた。また、鍔にあたる部分を、前面以外の側面と後部を、布にしているものもある（文献１）が見通しも悪くなる。また鍔の部分に空気をいれて張りをもたせるもの（文献２）もあるが、空気を入れるのに手間がかかり、また小さく畳むために空気を抜くのにも手間がかかる
【０００５】
本発明は、このような従来の帽子が有していた問題を解決しようとするものであり、折り畳み傘のように、鍔が傘のように広い帽子を一瞬で平面的に小さく折り畳み携帯できるようにした。
【課題を解決するための手段】
【０００６】
そして、本発明は上記目的を達成するために帽子全体は薄手の素材にし、前記帽子の鍔の縁の略円周上に、環状記憶形状体又は／及び環状弾性体の素材を取り付ける。帽子を小さくする時は、 前記環状記憶形状体又は／及び環状弾性体を小さな環状体にするように曲げながら畳む。素材も薄手なので、平面的に畳め、且つ折り畳む前の半分以下のサイズになる。畳んだ環状記憶形状体又は／及び環状弾性体を少し広げるだけで元の鍔の大きさの帽子になる。
【０００７】
また、帽子が飛ばないよう顎にかける紐がゆるまないよう、前記紐の両端を、ピンと張るように鍔の両端に固定しているので（図１）、帽子を被ると同時に、前記鍔の縁につけた、環状記憶形状体又は／及び環状弾性体の作用によりあごに紐をかけやすく、且つゆるみなく、かかるようになっている。
【０００８】
さらに、前記帽子には、鍔にところどころに切れ目を入れ、鍔に当たった風が前記切れ目から抜け出るようにした。同時に切れ目には上からの雨水が入り込まず、且つ反対側からの風が抜け出ることができるように布状の一部を開放して貼り付けた。
【発明の効果】
【０００９】
上記のように本発明の傘帽子は、日傘や雨傘のように鍔を広くしているにもかかわらず、平面的に小さく畳めるため常に携帯できる。
以前、バス停で老婦人が、左手に杖を、右手に鞄をもち、雨がふってきたにもかかわらず、傘をさす手が空いていないためさせず、おもわず私の傘に入ってもらった記憶から思いついたものです。
また、帽子はかぶると同時に、あごに紐がかかるようになっているため、帽子が風に飛ばされる心配もありません。さらに、鍔のところどころ切れ目を入れ風でとばされにくいようになっている。
【図面の簡単な説明】
【００１０】
【図１】傘帽子を広げた斜視図
【図２】傘帽子を捻じりながら畳んでいるところの斜視図
【図３】傘帽子を畳み終わったところの斜視図
【図４】鍔のところに切り目をいれた帽子の斜視図
【発明を実施するための形態】
【００１１】
以下、本発明の実施の形態を図１〜図４に基づいて説明する。
【００１２】
図１においては、１は鍔の縁に取り付けた、環状記憶形状体又は／及び環状弾性体の素材で、２は帽子のクラウンであり、３は鍔であり、４は飛ばないように顎にかける紐状のものである。
【００１３】
図４においては鍔の部分に切れ目をいれ、風が抜けるようにした。風の抵抗が減るので帽子は飛ばされにくくなる。また上からは雨が入らないよう布状のものを、一部開放した状態で、切れ目にかぶせるよう取り付けている。
【００１４】
以下、上記構成の動作を説明する。当該鍔の広い傘帽子を折り畳むときは、鍔３の縁の環状記憶形状体又は／及び環状弾性体の素材でできている１の両端の部分を両手で左右しっかりと  つかみ８の字になるように捻じる、捻じることにより、できたふたつの略円形状のもの（４´と４“）を重ねるように畳み、顎にかける紐を、折り畳まれた帽子に掛け、元の大きな鍔に戻らないようにする。そして、袋等に収納するとさらに元に戻りにくくなり携帯に便利になる。
【符号の説明】
【００１５】
１      環状記憶形状体又は／及び環状弾性体の素材
２      クラウン
３      鍔
４      飛ばないように顎にかける紐
４´    鍔を捻じ曲げてできた略円形
４“    鍔をねじまげてできた略円形
５      鍔に作られた切れ目
【図１】
2018031097.tif 000003
【図２】
2018031097.tif 000004
【図３】
2018031097.tif 000005
【図４】
2018031097.tif 000006
(57)【要約】【課題】気化熱を利用したウェアラブルクーラーは仕組み上湿度の上昇が避けられず頸部冷房のみを行うウェアラブルクーラーは寒冷刺激が起きて発汗が過度に抑えられることにより、発汗気化熱による放熱効果の阻害が起き効率的な冷房効果を得られなかった。また、従来のペルチェ素子を用いた冷却では、ペルチェ素子の吸熱管理が難しく、ペルチェ素子が有効に吸熱ができない場合においても通電させることで効率的な熱交換が困難であった。【解決方法】ペルチェ素子と冷却フィンと送風用ファンとウェアラブルな本体構造により腋窩方向への乾燥した冷風噴出で入手の容易な電力のみで効率的な冷房を行うパーソナルクーラーを構成している。また、ペルチェ素子の熱交換を少ない電力で効率よく行うため、ペルチェ素子に接続した放熱フィンの温度にて、ペルチェ素子への通電をオン、オフする簡便なスイッチング方式にてコストを抑えつつ制御を行うパーソナルクーラーを構成している。【選択図】図１
2018031101.tif 000002
【特許請求の範囲】
【請求項１】
ペルチェ素子と冷却フィンと送風用ファンと本体により、腋窩方向への乾燥した冷風噴出で冷房できることを特徴とするパーソナルクーラー。
【請求項２】
ペルチェ素子の放熱フィン温度でペルチェ素子への通電のオン・オフスイッチング制御を行うことを特徴とする請求項１記載のパーソナルクーラー。
【請求項３】
衣服との分離式であるモジュール化したウェアラブルな本体構造を特徴とする請求項２を備えた請求項１記載のパーソナルクーラー。
【発明の詳細な説明】
【技術分野】
【０００１】この発明は、ペルチェ素子の熱移動を利用したウェアラブルパーソナルクーラーに関する。
【背景技術】
【０００２】従来の冷却シート、冷却シートの製造方法及び冷却服やクールベストは吸水させた水が蒸発する際に周囲から奪う気化熱を利用して体を冷却する送風手段と保水冷却シートで構成されている。
また、ウェアコンはネックウェアと制御部で構成されている。【０００３】しかしながら、従来の気化熱を利用して体を冷却する方法では冷媒としての水が必要であり、また湿度の上昇に伴い、体のもつ発汗気化熱による放熱効果を下げるという欠点があり、ウェアコンはネックウェアで頸部冷房のみを行うため寒冷刺激が起きて発汗が止まり熱射病になりやすくなる欠点があった。
【先行技術文献】
【特許文献】
【０００４】
【特許文献１】特開２００５−３１５０８５号公報
【特許文献２】特開２０１２−１８３２２８号公報
【非特許文献】
【０００５】
【非特許文献１】実登３０９０６５３号公報
【非特許文献２】「ＷＩＮヒューマンレコーダー株式会社ホームページ」，ＷＩＮヒューマンコーダー株式会社，ウェアコン，ｈｔｔｐ：／／ｗｗｗ．ｗｉｎｈｒ．ｃｏ．ｊｐ／ｐｒｏｄｕｃｔｓ＿０１．ｈｔｍｌ
【発明の概要】
【発明が解決しようとする課題】
【０００６】本発明は、以上のような従来の欠点に鑑み、ペルチェ素子を用いて電力のみで長時間腋窩動脈へ乾燥した冷風を当て、発汗による放熱効果を阻害することなく、心臓に近い動脈中血液の温度を下げることで、全身への冷房効果を提供することを課題とする。
【課題を解決するための手段】
【０００７】以上の課題を解決するために、第一発明は、ペルチェ素子と冷却フィンと送風用ファンとウェアラブルにモジュール化した本体構造により、腋窩方向への乾燥した冷風噴出で冷房できることを特徴とするパーソナルクーラーである。
また、第二発明は放熱フィンの温度にてペルチェ素子への通電制御を行うことで長時間冷房ができることを特徴とするパーソナルクーラーである。
【発明の効果】
【０００８】以上の説明から明らかなように、本発明にあっては次に列挙する効果が得られる。
第一発明によれば、ペルチェ素子と冷却フィンと送風用ファンと本体とで構成されているので、乾燥した冷風を腋窩に送風することで発汗による放熱効果を阻害することなく動脈中血液の温度を下げ全身への冷房ができる。
第二発明によれば、ペルチェ素子への通電制御を放熱フィンの温度にてスイッチングすることで、電力あたりの冷房効率を高め、長時間安定した冷房ができる。
【図面の簡単な説明】
【０００９】
【図１】この発明の一実施形態を示す斜視図である。
【図２】この発明の一利用形態を示す斜視図である。
【発明を実施するための形態】
【００１０】以下、本発明の実施の形態を図に基づいて説明する。
【実施例１】
【００１１】本発明の一実施形態を図１に示す。
本体１はプラスチック製であり、本体上部２より送風ファン３にて吸気を行う。
２より吸気された外気をペルチェ素子４の放熱側に接続された放熱フィン５に当てる事でペルチェ素子４の吸熱側に接続された冷却フィン６からの移動熱を放熱し排気口７より排気する。
同時に２より吸気された外気をペルチェ素子４の吸熱側に接続された冷却フィン６に当て冷却した冷気を吹き出し口８より排気する。
ペルチェ素子４の放熱側に接続された放熱フィン５の温度を監視し、規定値より高温となった場合、ペルチェ素子への通電を停止し、送風ファン３のみを稼動させることで熱移動効率の低い時の電力消費を抑制し長時間安定した冷房ができる。
【実施例２】
【００１２】本発明の一利用形態を図２に示す。
本体１をクーラー装着ポケット１０へ装着し、吹き出し口８より排気される冷気を衣服内へ引き込み、冷気導出口１１より衣服内への循環気流として腋窩方向へ利用することで冷房ができる。
また、放熱排気は排熱排気口１２より外気に排出する。
衣服とパーソナルクーラーは一体化としない。
この発明は排気を衣服内へ引き込む機構を有する衣服すべてに装着可能なよう、ユニット化することで利用状況に応じた衣服への装着ができる。
【産業上の利用】
【００１３】本発明は、パーソナルクーラーを製造する産業で利用される。
【符号の説明】
【００１４】１  本体    ２  吸気口    ３  送風ファン    ４  ペルチェ素子
５  放熱フィン    ６  冷却フィン    ７  排気口    ８  冷気噴出し口
９  仕切り板    １０  クーラー装着ポケット    １１  冷気導出口
１２  排熱排気口
【図１】
2018031101.tif 000003
【図２】
2018031101.tif 000004
(57)【要約】【課題】  従来の水力発電は、山間に建設されるダム等の大型発電所の建設で、森林、河川、村落など自然や住環境に対する影響が大きく、大規模構造物であること、電力の需要地から遠隔地に建設されることから多大な建設費用や送電コストがかかるといった問題点がある。現代の日本の国土には、新たな建設は不可能といえる。【解決手段】  本発明の重力・浮力発電装置は、山間はもとより海岸、平野、盆地等でも稼働できる。貯水地の水を重力により落下させて給水時発電する。給水時発電側の空気は、給水により自然排気されるが、この空気を満水の給気時発電側に供給し、その浮力による空気の上昇を利用して給気時発電する。以後、このサイクルを繰り返す。また、排水は、貯水地に還すのでダム等の場合は再利用され揚水式の効果がある。本発明は、水や空気という再生可能エネルギーを有効活用した最もクリーンな重力・浮力発電装置と言える。【選択図】図１
2018031366.tif 000002
【特許請求の範囲】
【請求項１】
重力・浮力発電装置の上部右側にある給水口から、海、湖、池、ダム等の貯水地（以下、「貯水地」という。）の水を給水し、重力による落下を利用して給水時発電機により発電する。同時に重力・浮力発電装置の上部左側にある排気口から排出した空気を他の重力・浮力発電装置の下部左側にある給気口から給気し、重力・浮力発電装置内の水の中で、空気の浮力による上昇を利用して給気時発電機により発電する。さらに重力・浮力発電装置の上部に溜まった空気の圧力により、重力・浮力発電装置の下部右側にある排水口から水を排出する重力・浮力発電装置。
【発明の詳細な説明】
【技術分野】
【０００１】  本発明は、貯水地の水を給水し、重力による落下を利用して給水時発電機により発電する。同時に排出した空気を他の装置に給気し、浮力による上昇を利用して給気時発電機により発電する。さらに空気の圧力により水を排水する重力・浮力発電装置に関する。
【背景技術】
【０００２】  従来の水力発電には貯水池式や揚水式などがある。
【先行技術文献】
【特許文献】
【０００３】
【特許文献１】  特開平１０−２６２２３４号  公報
【発明の概要】
【発明が解決しようとする課題】
【０００４】  従来の水力発電は、貯水地の位置エネルギーを得るために標高の高い山間部に河川等の水流をダム等でせき止め、ダム等にたまった貯水を利用し発電され、その後揚水に利用されない限り河川下流に放水される。（図２）【０００５】  山間に建設されるダム等の大型発電所の建設は、森林、河川、村落など自然や住環境に対する影響が大きく、大規模構造物であること、電力の需要地から遠隔地に建設されることから多大な建設費用や送電コストがかかるといった問題点がある。現代の日本の国土には、新たな建設は不可能といえる。また、揚水式のように夜間に他の電力供給を必要とすることは、エネルギーの浪費といえる。【０００６】  先行技術文献を「浮力発電」で検索してみると、容器に気体を入れ浮力を得ているものが多いが構造が複雑になる。
【発明が解決するための手段】
【０００７】  本装置は、貯水地の位置エネルギーを利用するために貯水面より標高の低い位置に建設されることが特徴である。また、本装置からの排水を省力化するため、貯水地の底面に貯水導管を建設する。（図３）
【発明の効果】
【０００８】  本装置は、山間に建設されるダム等に限定されるものではなく、海、湖、池等のある海岸、平野、盆地などの地形でも利用が可能であるばかりではなく、小規模なら全てを構造物とする市街地の工場での利用も可能である。
【０００９】  貯水地の水を重力により落下させて給水時発電する。給水時発電側の空気は、給水により自然排気されるが、この空気は給気時発電側に供給し、その浮力による空気の上昇を利用して給気時発電する。
また、揚水式に相当する排水は、給水時発電時に排出される空気の圧力を利用するものであり、揚水式のように夜間に他の電力供給を必要とするものではない。
【図面の簡単な説明】
【００１０】
【図１】  本発明の実施形態を示す重力・浮力発電装置の断面図
【図２】  従来のダムを利用した水力発電システムの概略図
【図３】  本発明の重力・浮力発電装置を利用したシステムの概略図
【発明を実施するための形態】
【００１１】  本発明は、海、湖、池、ダム等の貯水地の水を利用して大電力を供給する、重力・浮力発電装置である。以下、本発明の実施の形態を図１に基づいて説明する。
【００１２】  本発明は、貯水地の水を使い重力・浮力発電装置（図１−１）内を、重力を利用し落下させて発電する一流と重力・浮力発電装置内の水に空気を給気してその浮力を利用し上昇させて発電する一流の二流による発電装置である。
【００１３】  重力・浮力発電装置は二基以上の複数基を設置する。以降、二基設置の場合で説明する。
まず、一基目（以下、「Ａ基」という。）は、ほぼ空気で満たされた重力・浮力発電装置の上部右側にある給水口（図１−２）から貯水地の水を給水し、重力による落下を利用して給水時発電機（図１−３）により発電する。
【００１４】  Ａ基がほぼ満水になったとき二基目（以下、「Ｂ基」という。）の稼働が始まる。Ｂ基についてはＡ基の先の動作と同じなので省略する。
【００１５】  Ａ基は、ほぼ満水になった水を排水する動作となる。それに先立ち給水口（図１−２）及び排気口（図１−６）の弁を閉じ、給気口（図１−８）と排水口（図１−４）の弁が開けられる。補助的に給気用動力（図１−９）が稼働し重力・浮力発電装置の下部左側にある給気口（図１−８）から給気し、重力・浮力発電装置内の水の中で、空気の浮力による上昇を利用して給気時発電機（図１−７）により発電する。Ａ基の上部は密閉されておりそこに溜まった空気の圧力により重力・浮力発電装置の下部右側にある排水口（図１−４）から水を排出する。補助的に排水用動力（図１−５）も稼働させ排水を促進する。
【００１６】  この時点で、Ａ基は水を排水し、ほぼ空気で満たされた重力・浮力発電装置となり、Ｂ基は空気を排気し、ほぼ満水になった重力・浮力発電装置でとなる。以後、このサイクルが繰り返される。
【００１７】  なお、給気時発電から給水時発電に変わる時の動作を補足すると排水口（図１−４）と給気口（図１−８）の弁を閉じ、給水口（図１−２）及び排気口（図１−６）の弁が開けられる。給水時発電側の空気は、給水により自然排気されるがこの空気は給気時発電側の給気に利用される。
【００１８】  また、排水された水は貯水地に還すので海、湖、池、ダム等の場合は再利用できる。
【符号の説明】
【００１９】  １  重力・浮力発電装置
２  給水口
３  給水時発電機
４  排水口
５  排水用動力
６  排気口
７  給気時発電機
８  給気口
９  給気用動力
Ａ  貯水導管
【図１】
2018031366.tif 000003
【図２】
2018031366.tif 000004
【図３】
2018031366.tif 000005